(57)【要約】【課題】光ファイバケーブルを細径化し、合成樹脂可とう管（ＣＤ管）等への通線が可能になると共に、中間後分岐作業においては光ファイバの曲げによる伝送損失の増加を抑制しつつ、容易に作業することができる光ファイバケーブルを提供する。【解決手段】矩形の断面形状を有し、長径方向に垂直な対向する側面にケーブル長手方向に延伸するように設けられた一対のスロット溝２ａ，２ｂを有するスロットコア２と、一対のスロット溝２ａ，２ｂにそれぞれ収納された複数本の光ファイバ心線１ａ，１ｂと、スロットコア２の中心に、ケーブル長手方向に延伸するように配置されたテンションメンバ３と、スロットコア１の外周を被覆し、スロットコア１の長径方向及び短径方向のそれぞれと長径方向及び短径方向が一致する矩形の外周形状を有する外被５とを備える。【選択図】図１
2013088744.tif 000002
【特許請求の範囲】
【請求項１】
矩形の断面形状を有し、前記矩形の断面形状において対向する短辺をなす側面にケーブル長手方向に延伸するように設けられた一対のスロット溝を有するスロットコアと、
前記一対のスロット溝にそれぞれ収納された複数本の光ファイバ心線と、
前記スロットコアの中心に、ケーブル長手方向に延伸するように配置されたテンションメンバと、
前記スロットコアの外周を被覆し、前記スロットコアの矩形の断面形状の長辺方向及び短辺方向のそれぞれと長辺方向及び短辺方向のそれぞれが一致する矩形の外周形状を有する外被
とを備えることを特徴とする光ファイバケーブル。
【請求項２】
前記外被の前記矩形の外周形状において対向する長辺をなす側面に、ケーブル長手方向に延伸するように一対のノッチが設けられていることを特徴とする請求項１に記載の光ファイバケーブル。
【請求項３】
前記スロットコアと前記外被との間に前記スロットコアの全周を覆うように配置された押さえ巻きテープを更に備えることを特徴とする請求項１又は２に記載の光ファイバケーブル。
【請求項４】
前記一対のスロット溝のそれぞれと前記外被との間にそれぞれ配置された２枚の押さえ巻きテープを更に備えることを特徴とする請求項１又は２に記載の光ファイバケーブル。
【発明の詳細な説明】
【技術分野】
【０００１】
本発明は、ビル等の縦系配線に使用されるスロット型光ファイバケーブルに関する。
【背景技術】
【０００２】
従来の縦系敷設用の光ファイバケーブルとして、光ファイバテープ心線又は単体の光ファイバ心線を複数本実装したスロット型ケーブル、ドロップケーブル及びインドアケーブルが一般的に用いられている（例えば、特許文献１及び２参照。）。
【先行技術文献】
【特許文献】
【０００３】
【特許文献１】特開１９９５−０１３０５５号公報
【特許文献２】特開２００７−０６５５９５号公報
【発明の概要】
【発明が解決しようとする課題】
【０００４】
既設集合住宅においては既に配線ダクト等に各種ケーブルの配線が行われており、縦系敷設のスペースが無いため、ドロップケーブルの集合住宅等での宅内配線は、電話線が配線された合成樹脂可とう管（ＣＤ管）等への追敷設が行われている。しかしながら、既存のスロット型ケーブルでは外径的に大きすぎるため、合成樹脂可とう管（ＣＤ管）等への新たなケーブルの追敷設は困難である。この追敷設ができないと、別途敷設ルートを確保しなければならず、別配線ダクト等を設けるのには多大な費用や時間がかかる場合が多い。
【０００５】
また、ある階で活線を含むケーブルを中間後分岐し、内部の光ファイバ心線を１本取り出してその階に引き込む作業についても求められており、この中間後分岐の際に他の光ファイバ心線に伝送損失を与えない（他の部屋で通信障害が起こらない）ように、任意の光ファイバ心線を取り出す必要があるが、これを可能とするためには、取り扱い性の観点からある程度の太さや剛性が必要な場合が多く、光ファイバケーブルの細径化は困難である。
【０００６】
また、従来のドロップケーブル及びインドアケーブルにおいては、中間後分岐作業においてデタッチャ等を用いて外被を引き裂く際に、光ファイバ心線が曲げられて大きな損失変動を生じる場合があった。更に活線状態での作業であるため、作業は十分な注意が必要となり、短時間での配線接続作業は困難であった。
【０００７】
上記問題点を鑑み、本発明の目的は、配管への布設が可能であるように、光ファイバケーブルを細径化し、中間後分岐作業においては光ファイバの曲げによる伝送損失の増加を抑制しつつ、容易に作業することができる光ファイバケーブルを提供することである。
【課題を解決するための手段】
【０００８】
本発明の一態様によれば、矩形の断面形状を有し、矩形の断面形状において対向する短辺をなす側面にケーブル長手方向に延伸するように設けられた一対のスロット溝を有するスロットコアと、一対のスロット溝にそれぞれ収納された複数本の光ファイバ心線と、スロットコアの中心に、ケーブル長手方向に延伸するように配置されたテンションメンバと、スロットコアの外周を被覆し、スロットコアの矩形の断面形状の長辺方向及び短辺方向のそれぞれと長辺方向及び短辺方向のそれぞれが一致する矩形の外周形状を有する外被とを備えることを特徴とする光ファイバケーブルが提供される。
【０００９】
本発明の一態様において、外被の矩形の外周形状において対向する長辺をなす側面に、ケーブル長手方向に延伸するように一対のノッチが設けられていても良い。
【００１０】
本発明の一態様において、スロットコアと外被との間にスロットコアの全周を覆うように配置された押さえ巻きテープを更に備えていても良い。
【００１１】
本発明の一態様において、一対のスロット溝のそれぞれと外被との間にそれぞれ配置された２枚の押さえ巻きテープを更に備えていても良い。
【発明の効果】
【００１２】
本発明によれば、光ファイバケーブルを細径化し、合成樹脂可とう管（ＣＤ管）等への通線が可能になると共に、中間後分岐作業においては光ファイバの曲げによる伝送損失の増加を抑制しつつ、容易に作業することができる光ファイバケーブルを提供することができる。
【図面の簡単な説明】
【００１３】
【図１】本発明の実施の形態に係る光ファイバケーブルの一例を示す断面図である。
【図２】図２（ａ）は、本発明の実施の形態に係る光ファイバケーブルの長径方向の曲げを説明するための断面図である。図２（ｂ）は、本発明の実施の形態に係る光ファイバケーブルの短径方向の曲げを説明するための断面図である。
【図３】本発明の実施の形態に係る光ファイバケーブルの外被を引き裂く冶具を説明するための断面図である。
【図４】本発明の実施の形態に係る光ファイバケーブルの外被の引き裂き方法を説明するための断面図である。
【図５】本発明のその他の実施の形態に係る光ファイバケーブルの一例を示す断面図である。
【発明を実施するための形態】
【００１４】
次に、図面を参照して、本発明の実施の形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。又、図面相互間においても互いの寸法の関係や比率が異なる部分が含まれていることはもちろんである。
【００１５】
また、以下に示す実施の形態は、この発明の技術的思想を具体化するための装置や方法を例示するものであって、この発明の技術的思想は、構成部品の材質、形状、構造、配置等を下記のものに特定するものでない。この発明の技術的思想は、特許請求の範囲において、種々の変更を加えることができる。
【００１６】
（光ファイバケーブルの構造）
本発明の実施の形態に係る光ファイバケーブルは、図１に示すように、矩形の断面形状を有し、矩形の断面形状において対向する短辺をなす側面のそれぞれにケーブル長手方向に延伸するように設けられた一対のスロット溝２ａ，２ｂを有するスロットコア２と、一対のスロット溝２ａ，２ｂにそれぞれ収納された複数本の光ファイバ１ａ，１ｂと、スロットコア２の中心にケーブル長手方向に延伸するように配置されたテンションメンバ（抗張力体）３と、スロットコア２の外周を被覆し、スロットコア２の矩形の断面形状の長辺方向（長径方向）及び短辺方向（短径方向）のそれぞれと長辺方向及び短辺方向のそれぞれが略一致する矩形の外周形状を有する外被（シース）５とを備える。
【００１７】
光ファイバ１ａ，１ｂとしては、光ファイバ素線、光ファイバ心線又は光ファイバテープ心線等が採用可能である。光ファイバ１ａ，１ｂの種類及び本数は特に限定されない。
【００１８】
テンションメンバ３としては、鋼線等の金属線又は繊維強化プラスチック（ＦＲＰ）等が使用可能である。
【００１９】
スロットコア２の長径は２．６ｍｍ程度であり、短径は１．６ｍｍ程度であり、アスペクト比（長径／短径）は１．６程度である。スロットコア２の材料としては、高密度ポリエチレン（ＨＤＰＥ）等の樹脂が使用可能である。
【００２０】
外被５の長径は３．８ｍｍ程度であり、短径は２．５ｍｍ程度であり、アスペクト比（長径／短径）は１．４程度である。外被５の材料としては、高密度ポリエチレン（ＨＤＰＥ）等の樹脂が使用可能である。外被５の矩形の外周形状において対向する長辺をなす側面には、テンションメンバ３を挟んで一対のノッチ５ａ，５ｂが設けられている。
【００２１】
スロットコア２と外被５との間には、スロットコア２の全周を覆うように縦添えされた押さえ巻きテープ４を更に備える。押さえ巻きテープ４の材料としては、例えばポリエチレン（ＰＥ）、ポリプロピレン（ＰＰ）、ポリエステル、ポリブチレンテレフタレート（ＰＢＴ）若しくはナイロン等の熱可塑性樹脂、又はエポキシ等の熱硬化性樹脂が使用可能である。
【００２２】
本発明の実施の形態に係る光ファイバケーブルの製造方法の一例としては、まず、テンションメンバ３を押し出し機に導入し、押し出し成形によりテンションメンバ３が中心に配置されたスロットコア２を作製する。そして、光ファイバ１ａ，１ｂをスロット溝２ａ，２ｂに収納した状態で押さえ巻きテープ４を押し出し機に導入し、押し出し成形により外被５で一括被覆することで図１に示した光ファイバケーブルを製造可能である。
【００２３】
本発明の実施の形態に係る光ファイバケーブルによれば、スロットコア２中心にテンションメンバ３が１条であるため、曲げの方向性が無く、細径化可能である。よって、一般的に使用されている内径φ１６ｍｍ〜φ２２ｍｍ等の合成樹脂可とう管（ＣＤ管）等の電線管への通線が可能である。
【００２４】
また、合成樹脂可とう管（ＣＤ管）等への通線において、図２（ａ）及び図２（ｂ）のそれぞれに示すように、長径方向及び短径方向への曲げ（曲げ方向を矢印で図示）がそれぞれ付与された場合、ケーブル曲げ中立線Ｌ１，Ｌ２から光ファイバ１ａ，１ｂまでの距離Ｄ１，Ｄ２が変わり、光ファイバ１ａ，１ｂに引張歪み及び圧縮歪みが生じる。光ファイバ１ａ，１ｂの引張歪み及び圧縮歪みの大きさは、ケーブル曲げ中立線Ｌ１，Ｌ２から光ファイバ１ａ，１ｂまでの距離Ｄ１，Ｄ２に依存する。特に、図２（ａ）に示すように長径方向に曲げた場合に、ケーブル曲げ中立線Ｌ１から光ファイバ１ａ，１ｂまでの距離Ｄ１が比較的大きいため、光ファイバ１ａ，１ｂに大きな引張歪み及び圧縮歪みを与える結果となる。
【００２５】
ここで、スロットコア２及び外被５が矩形の断面形状を有することにより、光ファイバケーブルは図２（ｂ）に示すような短径方向の曲げと比べて、図２（ａ）に示すような長径方向には曲がりにくい。よって、長径方向の曲げを抑制することができ、光ファイバ１ａ，１ｂの曲げによる引張歪み及び圧縮歪みの発生を抑制・緩和することができる。
【００２６】
また、中間後分岐作業においては、デタッチャや図３に示すような冶具１０を使用することができる。冶具１０は、光ファイバケーブルを挟んで把持する把持部１１ａ，１１ｂと、ノッチ５ａ，５ｂを引き裂くための突起１２ａ，１２ｂを有する。
【００２７】
また、中間後分岐作業において、図４（ａ）に示すように、この突起１２ａ，１２ｂをノッチ５ａ，５ｂに当て、ケーブル長手方向に外被５を引き裂く。このとき、ノッチ５ａ，５ｂ直下には光ファイバ１ａ，１ｂは存在しないので、光ファイバ１ａ，１ｂの損傷を防止することができる。また、外被５とスロットコア２とは押さえ巻きテープ４を介しており熱融着していないため、図４（ｂ）に示すように外被５のみが分離可能である。また、外被５をスロットコア２の長径方向に分離するため、スロットコア２が短径方向に曲げられることはない。また、スロットコア２及び外被５が矩形の断面形状を有することにより、長径方向にも曲がり難い。よって、光ファイバ１ａ，１ｂの曲げによる引っ張り歪みや圧縮歪みの発生を抑制・緩和することができる。外被５を除去した後、押さえ巻きテープ４は縦添えされているために容易に分離可能であり、図４（ｃ）に示すように、スロット溝２ａ，２ｂから光ファイバ１ａ，１ｂを容易に取り出すことができる。このように、光ファイバ１ａ，１ｂを容易に短時間で取り出すことができる。更に、ノッチ５ａ，５ｂの位置が光ファイバ１ａ，１ｂを実装しているスロット溝２ａ，２ｂとずれている為、ノッチ５ａ，５ｂに切り込みを入れても光ファイバ１ａ，１ｂに外傷を与える事が無く、安心して作業を行う事が出来る。
【００２８】
（実施例）
本発明の実施の形態に係る光ファイバケーブルを試作した。テンションメンバ３として直径０．９５ｍｍの鋼線を使用し、外被５には難燃高密度ポリエチレン（ＨＤＰＥ）を用いた。光ファイバケーブルの外径は２．６ｍｍ×３．８ｍｍとした。
【００２９】
中間後分岐に関しては、デタッチャを用いて実施したところ、外被５とスロットコア２の分離はファイバ心線に短径方向の曲げを与えることなく容易であった。外被５を分離した後、押さえ巻きテープ４を除去することにより、光ファイバ１ａ，１ｂを容易に取り出すことができた。
【００３０】
この作業中における光ファイバの損失変動を測定波長１．５５μｍ、サンプリングタイム１ｍｓで測定したところ、０．１ｄＢ以下である事を確認した。
【００３１】
（その他の実施の形態）
上記のように、本発明は実施の形態によって記載したが、この開示の一部をなす論述及び図面はこの発明を限定するものであると理解すべきではない。この開示から当業者には様々な代替実施の形態、実施例及び運用技術が明らかとなろう。
【００３２】
例えば、図１では押さえ巻きテープ４がスロットコア２の全周を覆う場合を説明したが、スロット溝２ａ，２ｂの開口部が少なくとも覆われていれば良い。例えば図５に示すように、２枚の押さえ巻きテープ４ａ，４ｂがスロット溝２ａ，２ｂの開口部をそれぞれ覆うように配置されていても良い。
【００３３】
また、本発明の実施の形態において、ケーブル長手方向に垂直な断面において、スロットコア２の矩形の長辺方向及び短辺方向のそれぞれと、外被５の矩形の長辺方向及び短辺方向のそれぞれは、厳密には完全に一致していなくても良く、略一致していれば良い。
【００３４】
このように、本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【００３５】
１ａ，１ｂ…光ファイバ
２…スロットコア
２ａ，２ｂ…スロット溝
３…テンションメンバ
４，４ａ，４ｂ…押さえ巻きテープ
５…外被
５ａ，５ｂ…ノッチ
１０…冶具
１１ａ，１１ｂ…把持部
１２ａ，１２ｂ…突起
【図１】
2013088744.tif 000003
【図２】
2013088744.tif 000004
【図３】
2013088744.tif 000005
【図４】
2013088744.tif 000006
【図５】
2013088744.tif 000007